(57)【要約】２チャンバー式インフレータ１０は、ベース１４およびキャップ１６を備えるハウジング１０を含む。仕切り円盤１８は、前記インフレータ１０を第一チャンバー２０と第二チャンバー２２に分割する。仕切り装置１８は、チャンバー２０および２２の同時動作のためそれらの間の液体連通を促進するところの、少なくとも１つの開口部６０を含む。
2004520997.tif 000002
【特許請求の範囲】
【請求項１】
車両乗員用保護システム用の２チャンバー式インフレータであって、
ベースおよびキャップを含み、さらに該ベースはその周囲に配置された第一複数ガス排出孔を含むハウジング；
前記ベースおよび前記キャップの内部に第一推進剤チャンバーおよび第二推進剤チャンバーをそれぞれ形成するための、前記ベースと前記キャップとの中間にある仕切り装置であって、前記２つのチャンバーを互いに動作的に分離し、そして上端面、下端面、および前記第二チャンバーから前記第一チャンバーへの液体連通を提供する少なくとも一つの開口部を含む、前記仕切り装置；
前記第一チャンバー内に含まれる第一推進剤であって、前記ガス発生装置の始動により燃焼される前記第一推進剤；
前記第二チャンバー内に含まれる第二推進剤であって、状況に応じて前記第一推進剤と同時に燃焼される前記第二推進剤；および
前記下端面上の前記少なくとも一つの開口部を覆って固定され、それにより、衝突時に前記第一チャンバーのみが始動された場合に前記第一チャンバーと前記第二チャンバーの同時の作動を防ぐシール
を含む、前記２チャンバー式インフレータ。
【発明の詳細な説明】
【０００１】
関連出願の相互参照
本出願は２００１年１月２６日に出願された仮出願第60/264,548号の利益を主張する。
【０００２】
発明の背景
本発明は、例えば車両乗員用保護システムのエアバッグを膨張させるのに用いられるガス発生器に関する。本発明は、特に、前記エアバッグが適切に展開されることを保証するために、２チャンバー式インフレータの推進剤チャンバーの分離のための改良された構造を含む改良型２チャンバー式ガス発生器に関する。
【０００３】
自動車内でエアバッグを展開するための膨張システム（inflation system）は、一般的に、膨張していないエアバッグと液体連通している単一のガス発生器を採用している。点火回路は通常、感知された車両加速度が所定のしきい値を超える場合に、加速度反応慣性スイッチを用いて、前記ガス発生器を作動する。
【０００４】
しかしながら、単一のガス発生器を利用するエアバッグ膨張装置は、乗員位置に関連した特定の膨張時間を達成するために、開始時の加圧／膨張速度が、一般に強い初期の膨張をもたらすように設定されるという欠点を有している。強い加圧開始速度は、乗員が正常な位置にいない状況において問題となる。さらに具体的には、エアバッグの開始時の急速な加圧により、乗員に損傷を与えるのに十分な力でエアバッグが乗員に衝撃を与える場合がある。エアバッグ体積および膨張容量は、体の大きな乗員および体の小さな乗員のどちらも保護するように設計されており、通常、単一のガス発生器内では調節可能ではない。これまで、時として、単一のガス発生器を利用するエアバッグが展開する場合、体の小さな乗員、すなわち一般には子供や小柄な女性が重度の損傷を被ることがあった。
【０００５】
共有されている米国特許第5,400,487号は、複数のガス発生器を利用することにより前記の問題を克服する膨張装置を開示しており、前記複数のガス発生器は、制御可能に点火されて、いずれの所与の乗員の体重および／または位置に対して、ならびにいずれの衝突タイプに対しても対処できるような可変膨張プロファイルを提供する。この構成は乗員を保護する膨張装置の性能を劇的に改善するが、それにはかなりの費用および複雑性が必要となる。複数のガス発生器およびスクイブ（squibs）は、装置にかなりの費用を付加し、点火制御回路は、種々の点火プロファイルを正確に調節することのできる洗練されたプロセッサを必要とする。
【０００６】
共有されている米国特許第5,934,705号に教示される別の提案は、単一のハウジングの両端間の機械的保持壁により画定される２チャンバー（dual chamber）を前記単一のハウジング内に有するガス発生器である。各ハウジングは、推進剤容量および、それにしたがって各チャンバーの膨張能力を決定する所定のサイズを持つ。車両衝突が発生した際に、乗員の体重に応じて片方のチャンバーまたは両方のチャンバーが選択的に点火され、それによって保護エアバッグが膨張される。しかしながら、このような周知の２チャンバー式インフレータの構造の一体性（integrity）は、一方のチャンバーしか点火されない場合に壁が２つのチャンバーの分離に失敗することにより、危険にさらされる場合がある。
【０００７】
上記のように、通常の２チャンバー式インフレータにはより堅固な設計が必要であり、そのため単一チャンバー式インフレータと比較してコストが高く、より複雑な製造方法が要求される。
【０００８】
したがって、簡単な設計を持ちそのために低い材料費と製作費が実現でき、しかもガス発生器の危険な構造的失敗を起こすことなく選択的なエアバッグの膨張加圧が可能であるような、２チャンバー式インフレータが必要とされている。
【０００９】
発明の概要
２チャンバー式インフレータにおける２つのチャンバーの完全な分離は、エアバッグの柔軟な展開には必要不可欠である。そこで本発明は、エアバッグの適切な展開を保証するよう、２チャンバー式インフレータの２つの推進剤チャンバーの分離のために改善された構造に関する。分離された２つの点火剤の集合（igniter assemblies）は、その中での選択的なガス発生のために第一および第二推進剤チャンバーを通って広がる。仕切り円盤（divider disk）は、前記第一および第二チャンバーを、各チャンバーの独立した動作が保証されるように分離する。本発明は、インフレータの安全を確保し製造コストを下げつつ、これら２つのチャンバーの連続的（sequential)または同時の始動を可能にする。
【００１０】
本発明の好ましい態様の詳細な説明
図に示すように、インフレータ１０は、本発明の好ましい態様においては、キャップ１６に溶接または他の方法で固定されているベース１４によって形成されたハウジング１２を含む。仕切り円盤１８は該ハウジング１２を第一チャンバー２０と第二チャンバー２２に分割し、それにより前記第一チャンバー２０は前記ベース１４の中に、前記第二チャンバー２２は前記キャップ１６の中に形成される。
【００１１】
前記ベース１４、キャップ１６、および仕切り円盤１８は好ましくは型打ちしたスチール、または既知で受け入れられている他の方法と材料を用いて形成される。前記ベース１４は第一環（annulus）２４と第二環２６を含む。前記仕切り円盤１８は第三環２８と第四環３０を含み、該第三環と第四環はそれぞれ第一環２４と第二環２６に対応する軸配置を取る。
【００１２】
図に示すように、第一点火チャンバー３２は、第一点火チューブ３４が前記第一環２４に挿入され第三環２８に溶接されて形成され、チューブ３４および環２４と２８の周長（circumference）は実質的に等しい。同様に、第二点火チャンバー３６は、第二点火チューブ３８が前記第二環２６に挿入され第四環３０に溶接されて形成され、チューブ３８および環２６と３０の周長は実質的に等しい。
【００１３】
チャンバー３２は隣接端４０と遠心端４２とを含む。第一点火装置４４は該隣接端４０から挿入されて点火チャンバー３２内に配置される。点火装置４４は好ましくはチューブ３４にクリンプ（crimp）される。少なくとも一つのガス排出孔４６は遠心端４２を通って伸びており、前記第一ガス発生チャンバー２０の内部における、チャンバー３２と第一ガス発生推進剤４８の間の液体連通を促進している。
【００１４】
チャンバー３６は隣接端５０と遠心端５２とを含む。第二点火装置５４は該隣接端５０から挿入されて点火チャンバー３６内に配置される。点火装置５４は好ましくは第二チューブ３８にクリンプ（crimp）される。少なくとも一つのガス排出孔５６は隣接端５０を通って伸びており、前記第二ガス発生チャンバー２２の内部における、点火チャンバー３６と第二ガス発生推進剤５８の間の液体連通を促進している。
【００１５】
環状フィルター６４はチャンバー２２と２２を通る軸の周囲に放射状に配置される。第二複数ガス排出孔６６は、前記ハウジング１２の内部および、前記第一ガス発生チャンバー２０のほぼ内部に、周上かつ側面に均一に配置され、それによって該チャンバー２０とエアバッグ（図示されていない）の間の液体連通を提供する。好ましい態様においては、フォイル（foil）が第三複数ガス排出孔６６の各排出孔を覆い、それによってチャンバー２０を密封している。
【００１６】
図に示すように、前記円盤１８はチューブ３４と３８およびキャップ１６に溶接されている。該チューブ３４と３８自体はさらにキャップ１６に溶接されており、それによって構造の一体性を高めている。
【００１７】
第一開始剤組成物６８は前記第一点火チャンバー３２の内部に備えられる。第二開始剤配合７０は配合６８と同じかまたは異なるが、前記第二点火チャンバー３６の内部に備えられる。
【００１８】
動作に際しては、車両乗員用保護システムは急激な減速または衝突の発生を示す信号を発生し、信号は点火装置４４に感知され、前記第一開始推進剤６８の点火を引き起こす。開始剤配合６８の点火により発生した熱、炎、および燃焼ガスが前期第一ガス発生チャンバー２０に流入し、前記第一ガス発生推進剤４８を点火する。それにより発生したガスはさらにチャンバー２０から流出してフィルター６４を通り、複数排出孔６６からエアバッグ（図示されていない）に流入する。
【００１９】
前記第二チャンバー２２は、衝突の激しさの度合い、乗員位置の感知、乗員の体重および／または身長などの要因に基づき選択的に作動される。前記仕切り円盤１８は、少なくとも１つの開口部および、チャンバー２２からチャンバー２０へ二次的ガスを移すために、好ましくは第一複数ガス排出孔６０を含む。第一バーストシム（burst shim）（例えばスチールまたはアルミニウム）６２は上部または第一円盤表面５７の上の複数ガス排出孔６０を覆い、それによってチャンバー２２を密封し、前記第二チャンバー２２が作動されたときに燃焼圧力が十分に増加するのを促進する。シール６１は密封テープなどで、好ましくは下部または第二円盤表面５９に固定され、それによって炎の前線や熱いガスが下部チャンバー２０から上部チャンバー２２へ移動するのを防止する。このように、乗員の体重が軽い場合には、チャンバー２０が選択され、チャンバー２２が同時に作動されることなくチャンバー２０のみが作動されることになる。
【００２０】
一方、乗員の体重が重い場合には、座席体重センサーおよび／または当該技術分野において知られている乗員位置検知アルゴリズムに基づきチャンバー２０と２２が選択され、同時に作動される。該チャンバー２０と２２の同時作動時には、ガスが前記排出孔６０を通過するにしたがってシール６１の一体性を破り、推進剤５８の燃焼により生成されるガス圧力がバーストシム６２を上回る。このようにして、チャンバー２０と２２で生成されたガスは、ガス排出孔６６から排出される際にチャンバー２０で混ざり合う。
【００２１】
前記ワイヤメッシュフィルタ６４は、たとえば金属スクリーンの複数の層またはラップから形成することができる。それのみに限定されるものではないが、本願に参照のために組み込まれている米国特許第6,032,979号および第5,727,813号には典型的な金属フィルターが記載されている。
【００２２】
当該技術分野において知られている他のインフレータと比較して、本発明のインフレータは、乗員の体重に基づくチャンバー２０と２２の個別の動作を保証することにより乗員の安全性を高める。さらに、図に示された設計は本質的に保持器（retainers）または位置感知器（locators）を必要としない。したがって、本発明のインフレータは全体でより少ない数の部品を含み、そのため製造を簡便化しより低い製造コストを可能にする。最後に、チャンバー２０のみが選択された場合、本設計は約１５〜２０秒後にチャンバー２２の始動を促進する。しかし、これによってエアバッグを再度展開し適切な位置にいない乗員に損傷を与えることはない。なぜならば、チャンバー２０は２つのチャンバーの全ガス発生チャージの少なくとも７０〜８０％にあたる一次チャージを含んでおり、そのため、チャンバー２２が付随的に（conductively）または能動的に始動された場合、チャンバー２２にはエアバッグに使用される全推進剤チャージの僅か２０〜３０％しか残っていないからである。別の言い方をすれば、チャンバー２２はその始動により、チャンバー２０が提供する一次ガスの力を補強するのみである。チャンバー２２はそれのみでは、乗員を適切に保護するためのエアバッグを展開するのに十分なガス発生を提供できず、そのため、チャンバー２２はチャンバー２０と共同してのみ働くように作動される。
【００２３】
本発明の好ましい態様についての上の記述は例示目的のみであることが理解されよう。したがって、本明細書に開示される種々の構造的かつ動作的特徴は、添付の特許請求の範囲に規定されている本発明の範囲からは逸脱しない、当業者の能力に相応した多数の改変を受けることができる。
【図面の簡単な説明】
【００２４】
【図１】本発明に基づいた２チャンバー式インフレータの上面断面図である。
【図２】図１の２−２の線に沿って作成した断面図である。
【図１】
2004520997.tif 000003
【図２】
2004520997.tif 000004
【国際公開パンフレット】
2004520997.tif 000005
2004520997.tif 000006
2004520997.tif 000007
2004520997.tif 000008
2004520997.tif 000009
2004520997.tif 000010
2004520997.tif 000011
2004520997.tif 000012
2004520997.tif 000013
2004520997.tif 000014
【国際公開パンフレット（コレクトバージョン）】
2004520997.tif 000015
2004520997.tif 000016
2004520997.tif 000017
2004520997.tif 000018
2004520997.tif 000019
2004520997.tif 000020
2004520997.tif 000021
2004520997.tif 000022
2004520997.tif 000023
【手続補正書】
【提出日】平成15年9月18日(2003.9.18)
【手続補正１】
【補正対象書類名】特許請求の範囲
【補正対象項目名】全文
【補正方法】変更
【補正の内容】
【特許請求の範囲】
【請求項１】
車両乗員用保護システム用の２チャンバー式インフレータであって、
ベースおよびキャップを含み、さらに該ベースはその周囲に配置された第一複数ガス排出孔を含むハウジング；
前記ベースおよび前記キャップの内部に第一側方推進剤チャンバーおよび第二側方推進剤チャンバーをそれぞれ形成するための、前記ベースと前記キャップとの中間にある仕切り装置であって、前記２つのチャンバーを互いに物理的にかつ動作的に分離し、そして上端面、下端面、および前記第二チャンバーから前記第一チャンバーへの液体連通を提供する少なくとも一つの開口部を含む、前記仕切り装置；
前記第一チャンバー内に含まれる第一推進剤であって、前記ガス発生装置の始動により燃焼される前記第一推進剤；
前記第二チャンバー内に含まれる第二推進剤であって、状況に応じて前記第一推進剤と同時に燃焼される前記第二推進剤；および
前記下端面上の前記少なくとも一つの開口部を覆って固定され、それにより、衝突時に前記第一チャンバーのみが始動された場合に前記第一チャンバーと前記第二チャンバーの同時の作動を防ぐシール
を含む、前記２チャンバー式インフレータ。
【国際調査報告】
2004520997.tif 000024